(57)【特許請求の範囲】
【請求項１】
内側面に形成した接着材層に剥離紙を貼付ておき、剥離紙を剥離して接着材層を露出させ、表側表紙ボ−ル紙と、背ボ−ル紙と、裏側表紙ボ−ル紙とを貼着する簡易上製本用表紙であって、前記剥離紙は、表側表紙ボ−ル紙を貼着する区画と、背ボ−ル紙および裏側表紙ボ−ル紙を貼着する区画と、前記表側表紙ボ−ル紙を貼着する区画の上縁部に隣接する区画、一方の側縁部に隣接する区画、下縁部に隣接する区画の三方の区画と、前記背ボ−ル紙および裏側表紙ボ−ル紙を貼着する区画の上縁部に隣接する区画と、その下縁部に隣接する区画とに分離して形成されていることを特徴とする簡易上製本用表紙。
【請求項２】
前記背ボ−ル紙および裏側表紙ボ−ル紙を貼着する区画の剥離紙に背ボ−ル紙基準線を形成し、背ボ−ル紙および裏側表紙ボ−ル紙を貼着する区画の上縁部に隣接する区画と、その下縁部に隣接する区画の剥離紙に、前記背ボ−ル紙基準線を起点とする目盛を付与したことを特徴とする、請求項１に記載の簡易上製本用表紙。
【請求項３】
前記背ボ−ル紙と裏側表紙ボ−ル紙を貼着する区画の剥離紙に、表紙作成に関連する事項を記入したことを特徴とする、請求項１または請求項２に記載の簡易上製本用表紙。
【発明の詳細な説明】
【０００１】
【発明の属する技術分野】
本発明は、背ボ−ル紙と表側および裏側表紙ボ−ル紙を簡易上製本用表紙に簡単に貼着でき、美麗に仕上げることができる簡易上製本用表紙に関するものである。
【０００２】
【従来の技術】
製本の一形態として、上製本が知られている。この上製本は、冊子の背面に糸かがりの処理をしてから無線綴じを行い、厚地の表紙を貼着して堅牢な仕上げとするもので、ハ−ドカバ−の書籍が製本される。また、前記糸かがりの処理を省略した簡易上製本も知られている。
【０００３】
図８は、簡易上製本を行なう例を示す分解斜視図である。図８において、１０は背面を無線綴じした冊子、１１は背ボ−ル紙（背厚板紙）、１２は簡易上製本用表紙で表側１２ａにはタイトルや図柄等が記入されており、裏側１２ｂには出版社名等が記入されている。１３は裏側表紙ボ−ル紙（表紙厚板紙）、１４は表側表紙ボ−ル紙（表紙厚板紙）である。背ボ−ル紙１１、裏側および表側表紙ボ−ル紙１３、１４は、冊子１０の各用紙よりも厚地の厚板紙を使用する。
【０００４】
簡易上製本用表紙１２には、背ボ−ル板１１の幅よりもやや広い幅で折り目１２ｕ、１２ｖを入れる。簡易上製本用表紙１２を広げた状態で、背ボ−ル板１１を簡易上製本用表紙１２の折り目１２ｕ、１２ｖ間に形成される中央部分１２ｃに貼着する。
【０００５】
また、矢視Ｘ、Ｙで示すように、裏側表紙ボ−ル紙１３、表側表紙ボ−ル紙１４をそれぞれ簡易上製本用表紙１２の裏側１２ｂ、表側１２ａに貼着する。この際に、背ボ−ル紙、裏側および表側表紙ボ−ル紙と表紙との間に空気が入り込んでしわが形成されないように留意する。冊子１０の表側見返し用紙１０ａを表側表紙ボ−ル紙１４の内側に貼着し、裏側見返し用紙１０ｂを裏側表紙ボ−ル紙１３の内側に貼着して製本を行なう。
【０００６】
【発明が解決しようとする課題】
このように、背ボ−ル紙、裏側および表側表紙ボ−ル紙を簡易上製本用表紙に貼着して美麗に仕上げるためには、正確な位置合わせや接着材の調整等が必要になるので、専用の機械を必要としていた。このため、コストが高くなるという問題があった。
【０００７】
また、特製の紙工ボンドやニカワ等の接着材を用いて作業者が手作業で前記貼着処理を行なうこともなされているが、経験を積んだ熟練作業者でなければ対応することができないという問題があった。
【０００８】
本発明は、このような問題に鑑みてなされたものであり、背ボ−ル紙と表側および裏側表紙ボ−ル紙を簡易上製本用表紙に簡単に貼着でき、美麗に仕上げることができる簡易上製本用表紙の提供を目的とするものである。
【０００９】
【課題を解決するための手段】
本発明の課題は、請求項１に係る発明において、簡易上製本用表紙を、内側面に形成した接着材層に剥離紙を貼付ておき、剥離紙を剥離して接着材層を露出させ、表側表紙ボ−ル紙と、背ボ−ル紙と、裏側表紙ボ−ル紙とを貼着する簡易上製本用表紙であって、前記剥離紙は、表側表紙ボ−ル紙を貼着する区画と、背ボ−ル紙および裏側表紙ボ−ル紙を貼着する区画と、前記表側表紙ボ−ル紙を貼着する区画の上縁部に隣接する区画、一方の側縁部に隣接する区画、下縁部に隣接する区画の三方の区画と、前記背ボ−ル紙および裏側表紙ボ−ル紙を貼着する区画の上縁部に隣接する区画と、その下縁部に隣接する区画とに分離して形成された構成とすることにより達成される。
【００１０】
また、請求項２に係る発明は、請求項１に記載の簡易上製本用表紙において、前記背ボ−ル紙および裏側表紙ボ−ル紙を貼着する区画の剥離紙に背ボ−ル紙基準線を形成し、背ボ−ル紙および裏側表紙ボ−ル紙を貼着する区画の上縁部に隣接する区画と、その下縁部に隣接する区画の剥離紙に、前記背ボ−ル紙基準線を起点とする目盛を付与したことを特徴としている。
【００１１】
また、請求項３に係る発明は、請求項１または請求項２に記載の簡易上製本用表紙において、前記背ボ−ル紙と裏側表紙ボ−ル紙を貼着する区画の剥離紙に、表紙作成に関連する事項を記入したことを特徴としている。
【００１２】
請求項１に係る発明の上記特徴によれば、内側面に形成した接着材層に、複数の区画に分離して形成された剥離紙を貼付ている。このため、各区画の剥離紙を手順にしたがって順次剥離して接着材層を露出させることにより、表側表紙ボ−ル紙と、背ボ−ル紙と、裏側表紙ボ−ル紙とを所定の位置に簡単に、しかも仕上がりが美麗になるように簡易上製本用表紙に貼着することができる。
【００１３】
請求項２に係る発明の上記特徴によれば、背ボ−ル紙および裏側表紙ボ−ル紙を貼着する区画の上縁部に隣接する区画と、その下縁部に隣接する区画の剥離紙に、背ボ−ル紙基準線を起点とする目盛を付与している。このため、裏側表紙ボ−ル紙の貼着位置を正確に設定することができる。
【００１４】
請求項３に係る発明の上記特徴によれば、背ボ−ル紙と裏側表紙ボ−ル紙を貼着する区画の剥離紙に、作成手順や作成上の注意点等の表紙作成に関連する事項を記入している。このため、熟練した作業者でなくても誤りなく作業をすることができる。
【００１５】
【発明の実施の形態】
以下、本発明に係る簡易上製本用表紙の実施の形態について図を参照して説明する。図１は、簡易上製本用表紙の一例を示す平面図である。図１において、１は内側面に接着材を塗布して接着材層を形成し、この接着材層に剥離紙（タック紙）を貼付ておき、剥離紙を剥離すると接着材層が露出する構成の簡易上製本用表紙である。
【００１６】
ａｂｃｄで矩形状に囲まれた部分Ｐａは、表側表紙ボ−ル紙を貼着する部分の剥離紙である。また、ａｂｓｔで矩形状に囲まれた部分Ｐｂは、背ボ−ル紙と、裏側表紙ボ−ル紙を貼着する部分の剥離紙であり、線Ｌａの位置で剥離紙Ｐａと分離されている。
【００１７】
また、Ｐｃ、Ｐｄ、Ｐｅは、前記剥離紙Ｐａとは分離されて形成されている剥離紙である。剥離紙Ｐａの上縁部に隣接して剥離紙Ｐｃを配置し、剥離紙Ｐａの側縁部に隣接して剥離紙Ｐｅを配置し、剥離紙Ｐａの下縁部に隣接して剥離紙Ｐｄを配置している。すなわち、剥離紙Ｐａの三方に隣接して剥離紙Ｐｃ、Ｐｄ、Ｐｅが配置されている。剥離紙ＰｃとＰｅが隣接する角部Ｃａは斜めにカットされている。同様に剥離紙ＰｄとＰｅが隣接する角部Ｃｂも斜めにカットされている。
【００１８】
Ｐｆは、前記剥離紙Ｐｂと分離されていると共に、線ａｅで剥離紙Ｐｃと分離されて形成されている剥離紙、Ｐｇは、前記剥離紙Ｐｂと分離されていると共に、線ｂｆで剥離紙Ｐｄと分離されて形成されている剥離紙である。このように、剥離紙Ｐｆは剥離紙Ｐｂの上縁部に隣接して配置され、剥離紙Ｐｇは剥離紙Ｐｂの下縁部に隣接して配置される。
【００１９】
剥離紙Ｐｆ、Ｐｇには、それぞれ目盛が印刷されている。この目盛は、線Ｌｂの両端であるｕｖの位置を起点にして形成されている。線Ｌｂは、後述するように「背ボ−ル基準線」であることの表示が剥離紙Ｐｂに記入されている。
【００２０】
次に、図１の簡易上製本用表紙１に背ボ−ル紙と表側および裏側表紙ボ−ル紙を貼着する工程について、図２〜図６の平面図により説明する。図２は、剥離紙Ｐａを剥離し、Ｌａ線に側縁部を揃えて表側表紙ボ−ル紙２を貼着した状態を示している。
【００２１】
次に、図３に示すように剥離紙Ｐｂを剥離する。Ｌａ線とＬｂ線との間には、背ボ−ルと表紙ボ−ル紙間に空きミゾを形成するために所定の間隔が形成されている。Ｌｂ線の位置、すなわち、目盛０の位置を基準として側縁部を揃えた背ボ−ル紙３を貼着する。背ボ−ル紙３は、製本する冊子の厚みに合わせて予め所定寸法の幅で切断されており、この幅寸法は簡易上製本用表紙１に貼着されると当該目盛で読み取ることができる。
【００２２】
図４は、剥離紙Ｐｂを剥離して、背ボ−ル紙３と共に裏側表紙ボ−ル紙４を簡易上製本用表紙１に貼着した状態を示している。この際に、背ボ−ル紙３の側縁部Ｌｂ’と、裏側表紙ボ−ル紙４の側縁部Ｌｃ間の間隔は、前記背ボ−ル紙３の基準側側縁部Ｌｂと表側表紙ボ−ル紙２の側縁部間の間隔と等しく設定する。
【００２３】
このように、裏側表紙ボ−ル紙４を簡易上製本用表紙１に貼着するための側縁部の位置合わせが必要となる。本発明においては、剥離紙Ｐｆ、Ｐｇには、目盛が印刷されているので、裏側表紙ボ−ル紙４の側縁部Ｌｃの位置を容易に設定することができる。
【００２４】
図４の状態で、簡易上製本用表紙１の図示左端側側縁部から所定の長さの位置Ｌｄの線で、上製本用表紙１を切断する。また、角部Ｃｃ、Ｃｄを斜めにカットする。この際に、角部Ｃｃ、Ｃｄは、角部Ｃａ、Ｃｂと同じ大きさとなるようにカットする。Ｐｈの部分には接着材層が露出している。
【００２５】
このようにして、図５の平面図に示すように表側表紙ボ−ル紙２、背ボ−ル紙３、裏側表紙ボ−ル紙４を、簡易上製本用表紙１の内面に貼着した状態が得られる。次に、簡易上製本用表紙１の外周に残存している剥離紙Ｐｃ、Ｐｄ、Ｐｅ、Ｐｆ、Ｐｇをすべて剥離する。すなわち、簡易上製本用表紙１の内面に貼着された表側表紙ボ−ル紙２、背ボ−ル紙３、裏側表紙ボ−ル紙４の周囲に接着材層を枠状に露出させる。
【００２６】
この状態で、簡易上製本用表紙１の上部枠状接着材層を内側に折り込んで、表側表紙ボ−ル紙２、背ボ−ル紙３、裏側表紙ボ−ル紙４の上部を貼着する。同様に簡易上製本用表紙１の下部枠状接着材層、左右の枠状接着材層をそれぞれ内側に折り込んで、表側ボ−ル紙２、背ボ−ル紙３、裏側ボ−ル紙４の下部を貼着する。
【００２７】
簡易上製本用表紙１の四隅には角部Ｃａ〜Ｃｄが形成されている。このため、図６に示すように、表側表紙ボ−ル紙２、背ボ−ル紙３、裏側表紙ボ−ル紙４の周囲には、内側に折り込まれた簡易上製本用表紙１のＰｘ、Ｐｙ、Ｐｚ、Ｐｗの部分により、額縁状周縁部が形成されている。
【００２８】
本発明においては、図１に示すように簡易上製本用表紙１の一面に接着材層を形成し、Ｐａ〜Ｐｇで区画された剥離紙を貼付ている。そして、当該剥離紙を剥離して接着材層を露出させ、基準線や目盛に合わせて、表側表紙ボ−ル紙２、背ボ−ル紙３、裏側表紙ボ−ル紙４を載置して貼着している。このため、簡単に、しかも美麗に表側表紙ボ−ル紙２、背ボ−ル紙３、裏側表紙ボ−ル紙４を簡易上製本用表紙１に貼着することができる。
【００２９】
図１の、背ボ−ル紙３と裏側表紙ボ−ル紙４を貼着する部分の剥離紙Ｐｂには、表紙作成の作業手順や表紙作成上の注意書き等の、表紙作成に関連する事項を印刷しておくことができる。図７は、表紙作成上の注意書きの一例を示す説明図である。図７において、（イ）の部分には、背ボ−ル紙の幅寸法を設定する際の注意書きが印刷されている。この例では、冊子の中身の厚さにＡｍｍ加算するものとしている。Ａは、例えば２．５ｍｍに設定される。
【００３０】
（ロ）の部分には、裏側表紙ボ−ル紙を貼着する際の注意書きが印刷されている。ここでは、裏側表紙ボ−ル紙と背ボ−ル紙間の空きミゾをＢｍｍとすること、簡易上製本用表紙の端部切り落とし寸法をＣｍｍとすること、天地角切りの寸法をＤｍｍとすることが印刷されている。一例として、Ｂ＝７．５ｍｍ、Ｃ＝１５ｍｍ、Ｄ＝１９ｍｍに設定する。
【００３１】
この外に、剥離紙ＰｂにはＬｂの線に「背ボ−ル基準線」と矢印を付けて表示している。なお、前記表紙作成上の注意書きと共に、図２〜図６で説明した表紙作成の作業手順を剥離紙Ｐｂに印刷することもできる。このように、剥離紙Ｐｂに表紙作成の作業手順や表紙作成上の注意書きを印刷してあるので、熟練した作業者に限らず、誰でも迅速に、間違いなく作業することができる。
【００３２】
本発明の簡易上製本用表紙は、前記のように簡単に、しかも美麗に仕上げることができるので、同一形状の冊子用表紙を大量に効率よく作成できる。また、前記剥離紙の区画を任意に設定できるので、表紙が破損した特定サイズの本のように、単品の製本修理にも適用できる。更に、雑誌記事のスクラップ帳を製作する場合の表紙にも適用できる。このように、本発明の簡易上製本用表紙は、大量の製本に限らず、個人が少数の製本をする場合にも有用である。
【００３３】
【発明の効果】
以上、詳述したように請求項１に係る発明の特徴によれば、内側面に形成した接着材層に、複数の区画に分離して形成された剥離紙を貼付ている。このため、各区画の剥離紙を手順にしたがって順次剥離して接着材層を露出させることにより、表側表紙ボ−ル紙と、背ボ−ル紙と、裏側表紙ボ−ル紙とを所定の位置に簡単に、しかも仕上がりが美麗になるように簡易上製本用表紙に貼着することができる。
【００３４】
請求項２に係る発明の上記特徴によれば、背ボ−ル紙および裏側表紙ボ−ル紙を貼着する区画の上縁部に隣接する区画と、その下縁部に隣接する区画の剥離紙に、背ボ−ル紙基準線を起点とする目盛を付与している。このため、裏側表紙ボ−ル紙の貼着位置を正確に設定することができる。
【００３５】
請求項３に係る発明の上記特徴によれば、背ボ−ル紙と裏側表紙ボ−ル紙を貼着する区画の剥離紙に、作成手順や作成上の注意点等の表紙作成に関連する事項を記入している。このため、熟練した作業者でなくても誤りなく作業をすることができる。
【図面の簡単な説明】
【図１】本発明の実施の形態に係る簡易上製本用表紙の平面図である。
【図２】簡易上製本用表紙に表側表紙ボ−ル紙を貼り付けた状態を示す平面図である。
【図３】図２の簡易上製本用表紙に背ボ−ル紙を貼り付けた状態を示す平面図である。
【図４】図３の簡易上製本用表紙に、裏側表紙ボ−ル紙を貼り付けた状態を示す平面図である。
【図５】図４の簡易上製本用表紙の所定個所を切断した状態を示す平面図である。
【図６】簡易上製本用表紙の仕上がり状態を示す平面図である。
【図７】剥離紙に印刷される注意事項の例を示す説明図である。
【図８】簡易上製本を行なう例を示す分解斜視図である。
【符号の説明】
１    簡易上製本用表紙
２    表側表紙ボ−ル紙
３    背ボ−ル紙
４    裏側表紙ボ−ル紙
Ｐａ〜Ｐｇ  剥離紙
【図１】
0004275297.tif 000002
【図２】
0004275297.tif 000003
【図３】
0004275297.tif 000004
【図４】
0004275297.tif 000005
【図５】
0004275297.tif 000006
【図６】
0004275297.tif 000007
【図７】
0004275297.tif 000008
【図８】
0004275297.tif 000009